(57)【要約】【課題】  データが遠隔地にある場合であっても、高速なデータの送受信を可能にする無線通信システムを提供する。【解決手段】  コンピュータ１００はデータの送受信の要求検出のためにビーコンフレームを発信し、これに応答したパソコン２００ａからの接続要求信号を受信する。コンピュータ１００は受信した接続応答信号中にキャッシュ機能の利用が指示されている場合であって、パソコン２００ａの要求するデータが自身の通信機能の備える記憶領域にキャッシュされている場合にはこれを送信する。そのほかの場合には、ネットワーク経由でデータを得る。【選択図】  図１
2006058993.tif 000002
【特許請求の範囲】
【請求項１】
第１のコンピュータと、第２のコンピュータとを含む複数のコンピュータが無線通信によってデータの送受信を行う無線通信システムにおいて、
前記第１のコンピュータは、
入力したデータを電波信号に変換して送信し、受信した電波信号をデータに変換して出力する第１の無線部と、
予め送信用データを格納する記憶部と、
前記第２のコンピュータが送信した接続要求を前記第１の無線部経由で入力した時、前記接続要求から前記記憶部中のデータの使用の可否を判定し、前記第２のコンピュータが送信したデータ送信要求を前記第１の無線部経由で入力した時、前記判定結果が否である場合にのみ、送信用のデータを中央処理部に要求してこれを得て、当該送信用のデータを前記第１の無線部へ出力する第１の無線信号処理部と、
前記第２のコンピュータが送信した前記接続要求を前記第１の無線部経由で入力した時、前記接続要求から前記記憶部中のデータの使用の可否を判定し、前記第２のコンピュータが送信した前記データ送信要求を前記第１の無線部経由で入力した時、前記判定結果が可である場合にのみ、前記記憶部から前記データ送信要求に該当する前記送信用データを得て、前記送信用データを前記第１の無線部へ出力する第２の無線信号処理部とを具備し、
前記第２のコンピュータは、
入力したデータを電波信号に変換して送信し、受信した電波信号をデータに変換して出力する第２の無線部と、
外部からデータの取得要求を受けた時、前記第１のコンピュータの前記記憶部中のデータの使用の可否の指定を接続要求と共に前記第２の無線部へ出力する接続要求手段と、
前記データの取得要求に対応するデータ送信要求を前記第２の無線部へ出力するデータ要求手段とを具備する
ことを特徴とする無線通信システム。
【請求項２】
第１のコンピュータと、第２のコンピュータとを含む複数のコンピュータが無線通信によってデータの送受信を行う無線通信システムにおいて、
前記第１のコンピュータは、
入力したデータを電波信号に変換して送信し、受信した電波信号をデータに変換して出力する第１の無線部と、
予め送信用データを格納する記憶部と、
前記第２のコンピュータから受信した要求を前記第１の無線部経由で入力した時、前記要求を一時記憶領域へ書き込み、前記要求の出力要求を入力した時、前記一時記憶領域から前記要求を読み出して出力するデータキャッシング手段と、
前記第１の無線部が前記第２のコンピュータから受信した接続要求を入力した時、前記接続要求から前記記憶部中のデータの使用の可否を判定し、前記判定結果が否である場合にのみ、前記データキャッシング手段に前記接続要求の出力要求を出力し、
前記第１の無線部が前記第２のコンピュータから受信したデータ送信要求を入力した時、前記判定結果が可である場合は、前記記憶部から前記データ送信要求に該当するデータを得て前記第１の無線部へ出力し、一方、前記判定結果が否である場合は、前記データキャッシング手段に前記データ送信要求の出力要求を出力する第１の無線信号処理部と、
前記データキャッシング手段が出力した前記第２のコンピュータからの前記接続要求を入力した時、前記第２のコンピュータとの接続処理を行い、前記データキャッシング手段から前記第２のコンピュータからのデータ送信要求を入力した時、前記データ送信要求に該当するデータを中央処理部に要求し、得られた前記データ送信要求に該当するデータを前記第１の無線部へ出力する第２の無線信号処理部とを具備し、
前記第２のコンピュータは、
入力したデータを電波信号に変換して送信し、受信した電波信号をデータに変換して出力する第２の無線部と、
外部からデータの取得要求を受けた時、前記第１のコンピュータの前記記憶部中のデータの使用の可否を接続要求と共に前記第２の無線部へ出力する接続要求手段と、
前記第１のコンピュータとの接続後にデータ送信要求を前記第２の無線部へ出力するデータ要求手段とを具備する
ことを特徴とする無線通信システム。
【請求項３】
第１のコンピュータと、第２のコンピュータとを含む複数のコンピュータが無線通信によってデータの送受信を行う無線通信システムにおいて、
前記第１のコンピュータは、
入力したデータを電波信号に変換して送信し、受信した電波信号をデータに変換して出力する第１の無線部と、
予め送信用データを格納する記憶部と、
データ送信要求を入力し、前記データ送信要求に該当する送信用のデータを中央処理部に要求して得て、当該送信用のデータを前記第１の無線部へ出力する第１の無線信号処理部と、
前記データ送信要求を入力し、前記データ送信要求に該当する送信用のデータを前記記憶部から得て前記第１の無線部へ出力する第２の無線信号処理部と
前記第１の無線部から前記第２のコンピュータが送信した接続要求を入力した時、前記接続要求から前記記憶部中のデータの使用の可否を判定し、前記第１の無線部から前記第２のコンピュータが送信したデータ取得要求を入力した時、前記判定の結果が可である場合にのみ前記データ取得要求を前記第２の無線信号処理部へ出力し、前記判定の結果が否である場合にのみ前記データ取得要求を前記第１の無線信号処理部へ出力するスイッチ部とを具備し、
前記第２のコンピュータは、
入力したデータを電波信号に変換して送信し、受信した電波信号をデータに変換して出力する第２の無線部と、
外部からデータの取得要求を受けた時、前記第１のコンピュータの前記記憶部中のデータの使用の可否を接続要求と共に前記第２の無線部へ出力する接続要求手段と、
前記第１のコンピュータとの接続後にデータ送信要求を前記第２の無線部へ出力するデータ要求手段とを具備する
ことを特徴とする無線通信システム。
【請求項４】
前記第２の無線信号処理部は、所定の期間継続してデータ送信要求が入力しないことを検知した時、前記第１の無線部への電源供給を一定期間停止することを特徴とする請求項１〜請求項３のいずれかに記載の無線通信システム。
【請求項５】
前記第１の無線信号処理部は、所定の期間継続してデータ送信要求が入力しないことを検知した時、前記第２の無線信号処理部への電源供給を一定期間停止することを特徴とする請求項２に記載の無線通信システム。
【請求項６】
前記第２の無線信号処理部は、
前記第１のコンピュータからのデータ送信要求を前記第１の無線部から入力しない時、自身が前記記憶部を備えることを示すサポート情報を含むデータ送受信の要求チェックのための標識信号を生成して前記第１の無線部へ出力し、
前記接続要求手段は、
外部からデータの取得要求を受けた時、前記第２の無線部に受信させて入力した前記標識信号中のサポート情報をチェックし、前記第１のコンピュータが前記記憶部を備えることを検知した時、前記第１のコンピュータの前記記憶部中のデータの使用の指定を伴う前記接続要求を前記第２の無線部へ出力し、前記第１のコンピュータが前記記憶部を備えないことを検知した時、前記第１のコンピュータの前記記憶部中のデータの不使用の指定を伴う接続要求を前記第２の無線部へ出力する
ことを特徴とする請求項１、請求項３、または、請求項４のいずれかに記載の無線通信システム。
【請求項７】
前記第１の無線信号処理部は、
前記第２のコンピュータからのデータ送信要求を前記第１の無線部から入力しない時、自身が前記記憶部を備えることを示すサポート情報を含むデータ送受信の要求チェックのための標識信号を生成して前記第１の無線部へ出力し、
前記接続要求手段は、
外部からデータの取得要求を受けた時、前記第２の無線部に受信させて入力した前記標識信号中のサポート情報をチェックし、前記第１のコンピュータが前記記憶部を備えることを検知した時、前記第１のコンピュータの前記記憶部中のデータの使用の指定を伴う前記接続要求を前記第２の無線部へ出力し、前記第１のコンピュータが前記記憶部を備えないことを検知した時、前記第１のコンピュータの前記記憶部中のデータの不使用の指定を伴う接続要求を前記第２の無線部へ出力する
ことを特徴とする請求項２または請求項５に記載の無線通信システム。
【請求項８】
複数の無線装置がデータの送受信を行うシステムにおいて、
入力したデータを電波信号に変換して送信し、受信した電波信号をデータに変換して出力する無線部と、
予め送信用データを格納する記憶部と、
外部から受信した接続要求を前記無線部経由で入力した時、前記接続要求から前記記憶部中のデータの使用の可否を判定し、外部から受信したデータ送信要求を前記無線部経由で入力した時、前記判定結果が否である場合にのみ、送信用のデータを中央処理部に要求してこれを得て、当該送信用のデータを前記無線部へ出力する第１の無線信号処理部と、
外部から受信した前記接続要求を前記無線部経由で入力した時、前記接続要求から前記記憶部中のデータの使用の可否を判定し、外部から受信した前記データ送信要求を前記無線部経由で入力した時、前記判定結果が可である場合にのみ、前記記憶部から前記データ送信要求に該当する送信用データを得て、当該送信用データを無線部へ出力する第２の無線信号処理部とを具備する
ことを特徴とする無線通信装置。
【請求項９】
複数の無線装置がデータの送受信を行うシステムにおいて、
入力したデータを電波信号に変換して送信し、受信した電波信号をデータに変換して出力する無線部と、
予め送信用データを格納する記憶部と、
外部から受信した要求を前記無線部経由で入力した時、前記要求を一時記憶領域へ書き込み、前記要求の出力要求を入力した時、前記一時記憶領域から前記要求を読み出して出力するデータキャッシング手段と、
前記無線部が外部から受信した接続要求を入力した時、前記接続要求から前記記憶部中のデータの使用の可否を判定し、前記判定結果が否である場合にのみ、前記データキャッシング手段に前記接続要求の出力要求を出力し、
前記無線部が外部から受信したデータ送信要求を入力した時、前記判定結果が可である場合は、前記記憶部から前記データ送信要求に該当するデータを得て前記無線部へ出力し、一方、前記判定結果が否である場合は、前記データキャッシング手段に前記データ送信要求の出力要求を出力する第１の無線信号処理部と、
前記データキャッシング手段が出力した外部からの前記接続要求を入力した時、前記接続要求の送信元との接続処理を行い、前記データキャッシング手段から外部からのデータ送信要求を入力した時、前記データ送信要求に該当するデータを中央処理部に要求し、得られた前記データ送信要求に該当するデータを前記無線部へ出力する第２の無線信号処理部とを具備する
ことを特徴とする無線通信装置。
【請求項１０】
複数の無線装置がデータの送受信を行うシステムにおいて、
入力したデータを電波信号に変換して送信し、受信した電波信号をデータに変換して出力する第１の無線部と、
予め送信用データを格納する記憶部と、
データ送信要求を入力し、前記データ送信要求に該当する送信用のデータを中央処理部に要求して得て、当該送信用のデータを前記無線部へ出力する第１の無線信号処理部と、
データ送信要求を入力し、前記データ送信要求に該当する送信用のデータを前記記憶部から得て前記無線部へ出力する第２の無線信号処理部と
外部から受信した接続要求を前記無線部経由で入力し、前記接続要求から前記記憶部中のデータの使用の可否を判定し、外部から受信したデータ取得要求を前記無線部経由で入力した時、前記判定の結果が可である場合に前記データ取得要求を前記第２の無線信号処理部へ出力し、前記判定の結果が否である場合に前記データ取得要求を前記第１の無線信号処理部へ出力するスイッチ部とを具備する
ことを特徴とする無線通信装置。
【請求項１１】
複数の無線装置がデータの送受信を行うシステムにおいて、
入力したデータを電波信号に変換して送信し、受信した電波信号をデータに変換して出力する無線部と、
外部からデータの取得要求を受けた時、データ取得先に対してキャッシュされたデータの使用の可否の指定を接続要求と共に前記無線部へ出力する接続要求手段と、
前記データの取得要求に対応するデータ送信要求を前記無線部へ出力するデータ要求手段とを具備する
ことを特徴とする無線通信装置。
【発明の詳細な説明】
【技術分野】
【０００１】
本発明は、無線通信を行う複数の電子機器からなるネットワークにおいて、高速なデータの送受信を行うための無線通信システムに関するものである。
【背景技術】
【０００２】
今日、企業や官公庁、公共施設、家庭内、あるいは自動車や航空機の中等、多くの場所においてネットワーク機能を備えた様々な電子機器が使用されている。こうした電子機器には電波信号の送受信機能を備え、他の電子機器とデータの送受信を行うものもある。
【０００３】
しかし、例えば航空機内において、無線ＬＡＮ（Ｌｏｃａｌ  Ａｒｅａ  Ｎｅｔｗｏｒｋ）機能を備えたノートパソコンのユーザがホットスポット（登録商標）を利用してインターネットへのアクセスを試みる場合、ユーザの要求するデータが遠隔地にあり、このため人工衛星を経由してデータを受信する必要があることもある。このようなケースでは送受信されるデータ自体のサイズが大きなものではなくても、データの送受信そのものに長い時間が必要となる問題点がある。
【０００４】
この問題点に関して、従来の技術では、ＷＥＢサーバのコンピュータ上にプロキシサーバを設け、このプロキシサーバがデータのキャッシュ機能を提供することにより、同一もしくは異なるユーザによる同じデータに対する２回目以降のアクセスを高速化している。
【０００５】
しかし、ＷＥＢサーバのコンピュータがプロキシサーバを稼動させてキャッシュ管理を行う場合には、当該コンピュータのＣＰＵ（Ｃｅｎｔｒａｌ  Ｐｒｏｃｅｓｓｉｎｇ  Ｕｎｉｔ）や、メモリ、あるいはハードディスク等のリソースを使用する必要があり、問題となることがある。即ち、ＷＥＢサーバのコンピュータが他のアプリケーションプログラムを稼動させる等の処理も行うことは多くあるが、プロキシサーバの実行によってこうしたアプリケーションプログラムの実行が阻害されることがあり、問題となる。
【０００６】
また、この問題点に関連して、特許文献１には自動車の車中で使用される情報提供システムに関する技術が知られている。しかし、特許文献１に記載の技術は、ユーザが種々のメディアに対してシームレスなアクセスを行うことを可能にするものであって、上述のようなデータの送受信そのものに長時間を要する問題点を解決するものではない。
【特許文献１】特開２００１−１４４８１４号公報
【発明の開示】
【発明が解決しようとする課題】
【０００７】
本発明は上記の事情を考慮してなされたもので、その目的は、データが遠隔地にある場合であっても、高速なデータの送受信を可能にする無線通信システムを提供することにある。
【課題を解決するための手段】
【０００８】
この発明は前述の課題を解決するためになされたもので、請求項１の発明は、第１のコンピュータと、第２のコンピュータとを含む複数のコンピュータが無線通信によってデータの送受信を行う無線通信システムにおいて、前記第１のコンピュータは、入力したデータを電波信号に変換して送信し、受信した電波信号をデータに変換して出力する第１の無線部と、予め送信用データを格納する記憶部と、前記第２のコンピュータが送信した接続要求を前記第１の無線部経由で入力した時、前記接続要求から前記記憶部中のデータの使用の可否を判定し、前記第２のコンピュータが送信したデータ送信要求を前記第１の無線部経由で入力した時、前記判定結果が否である場合にのみ、送信用のデータを中央処理部に要求してこれを得て、当該送信用のデータを前記第１の無線部へ出力する第１の無線信号処理部と、前記第２のコンピュータが送信した前記接続要求を前記第１の無線部経由で入力した時、前記接続要求から前記記憶部中のデータの使用の可否を判定し、前記第２のコンピュータが送信した前記データ送信要求を前記第１の無線部経由で入力した時、前記判定結果が可である場合にのみ、前記記憶部から前記データ送信要求に該当する前記送信用データを得て、前記送信用データを前記第１の無線部へ出力する第２の無線信号処理部とを具備し、前記第２のコンピュータは、入力したデータを電波信号に変換して送信し、受信した電波信号をデータに変換して出力する第２の無線部と、外部からデータの取得要求を受けた時、前記第１のコンピュータの前記記憶部中のデータの使用の可否の指定を接続要求と共に前記第２の無線部へ出力する接続要求手段と、前記データの取得要求に対応するデータ送信要求を前記第２の無線部へ出力するデータ要求手段とを具備することを特徴とする無線通信システムである。
【０００９】
請求項２に記載の発明は、第１のコンピュータと、第２のコンピュータとを含む複数のコンピュータが無線通信によってデータの送受信を行う無線通信システムにおいて、前記第１のコンピュータは、入力したデータを電波信号に変換して送信し、受信した電波信号をデータに変換して出力する第１の無線部と、予め送信用データを格納する記憶部と、前記第２のコンピュータから受信した要求を前記第１の無線部経由で入力した時、前記要求を一時記憶領域へ書き込み、前記要求の出力要求を入力した時、前記一時記憶領域から前記要求を読み出して出力するデータキャッシング手段と、前記第１の無線部が前記第２のコンピュータから受信した接続要求を入力した時、前記接続要求から前記記憶部中のデータの使用の可否を判定し、前記判定結果が否である場合にのみ、前記データキャッシング手段に前記接続要求の出力要求を出力し、前記第１の無線部が前記第２のコンピュータから受信したデータ送信要求を入力した時、前記判定結果が可である場合は、前記記憶部から前記データ送信要求に該当するデータを得て前記第１の無線部へ出力し、一方、前記判定結果が否である場合は、前記データキャッシング手段に前記データ送信要求の出力要求を出力する第１の無線信号処理部と、前記データキャッシング手段が出力した前記第２のコンピュータからの前記接続要求を入力した時、前記第２のコンピュータとの接続処理を行い、前記データキャッシング手段から前記第２のコンピュータからのデータ送信要求を入力した時、前記データ送信要求に該当するデータを中央処理部に要求し、得られた前記データ送信要求に該当するデータを前記第１の無線部へ出力する第２の無線信号処理部とを具備し、前記第２のコンピュータは、入力したデータを電波信号に変換して送信し、受信した電波信号をデータに変換して出力する第２の無線部と、外部からデータの取得要求を受けた時、前記第１のコンピュータの前記記憶部中のデータの使用の可否を接続要求と共に前記第２の無線部へ出力する接続要求手段と、前記第１のコンピュータとの接続後にデータ送信要求を前記第２の無線部へ出力するデータ要求手段とを具備することを特徴とする無線通信システムである。
【００１０】
請求項３に記載の発明は、第１のコンピュータと、第２のコンピュータとを含む複数のコンピュータが無線通信によってデータの送受信を行う無線通信システムにおいて、前記第１のコンピュータは、入力したデータを電波信号に変換して送信し、受信した電波信号をデータに変換して出力する第１の無線部と、予め送信用データを格納する記憶部と、データ送信要求を入力し、前記データ送信要求に該当する送信用のデータを中央処理部に要求して得て、当該送信用のデータを前記第１の無線部へ出力する第１の無線信号処理部と、前記データ送信要求を入力し、前記データ送信要求に該当する送信用のデータを前記記憶部から得て前記第１の無線部へ出力する第２の無線信号処理部と前記第１の無線部から前記第２のコンピュータが送信した接続要求を入力した時、前記接続要求から前記記憶部中のデータの使用の可否を判定し、前記第１の無線部から前記第２のコンピュータが送信したデータ取得要求を入力した時、前記判定の結果が可である場合にのみ前記データ取得要求を前記第２の無線信号処理部へ出力し、前記判定の結果が否である場合にのみ前記データ取得要求を前記第１の無線信号処理部へ出力するスイッチ部とを具備し、前記第２のコンピュータは、入力したデータを電波信号に変換して送信し、受信した電波信号をデータに変換して出力する第２の無線部と、外部からデータの取得要求を受けた時、前記第１のコンピュータの前記記憶部中のデータの使用の可否を接続要求と共に前記第２の無線部へ出力する接続要求手段と、前記第１のコンピュータとの接続後にデータ送信要求を前記第２の無線部へ出力するデータ要求手段とを具備することを特徴とする無線通信システムである。
【００１１】
請求項４に記載の発明は、請求項１〜請求項３のいずれかに記載の無線通信システムであって、前記第２の無線信号処理部は、所定の期間継続してデータ送信要求が入力しないことを検知した時、前記第１の無線部への電源供給を一定期間停止することを特徴とするものである。
【００１２】
請求項５に記載の発明は、請求項２に記載の無線通信システムであって、前記第１の無線信号処理部は、所定の期間継続してデータ送信要求が入力しないことを検知した時、前記第２の無線信号処理部への電源供給を一定期間停止することを特徴とするものである。
【００１３】
請求項６に記載の発明は、前記第２の無線信号処理部は、請求項１、請求項３、または、請求項４のいずれかに記載の無線通信システムであって、前記第１のコンピュータからのデータ送信要求を前記第１の無線部から入力しない時、自身が前記記憶部を備えることを示すサポート情報を含むデータ送受信の要求チェックのための標識信号を生成して前記第１の無線部へ出力し、前記接続要求手段は、外部からデータの取得要求を受けた時、前記第２の無線部に受信させて入力した前記標識信号中のサポート情報をチェックし、前記第１のコンピュータが前記記憶部を備えることを検知した時、前記第１のコンピュータの前記記憶部中のデータの使用の指定を伴う前記接続要求を前記第２の無線部へ出力し、前記第１のコンピュータが前記記憶部を備えないことを検知した時、前記第１のコンピュータの前記記憶部中のデータの不使用の指定を伴う接続要求を前記第２の無線部へ出力することを特徴とするものである。
【００１４】
請求項７に記載の発明は、請求項２または請求項５に記載の無線通信システムであって、前記第１の無線信号処理部は、前記第２のコンピュータからのデータ送信要求を前記第１の無線部から入力しない時、自身が前記記憶部を備えることを示すサポート情報を含むデータ送受信の要求チェックのための標識信号を生成して前記第１の無線部へ出力し、前記接続要求手段は、外部からデータの取得要求を受けた時、前記第２の無線部に受信させて入力した前記標識信号中のサポート情報をチェックし、前記第１のコンピュータが前記記憶部を備えることを検知した時、前記第１のコンピュータの前記記憶部中のデータの使用の指定を伴う前記接続要求を前記第２の無線部へ出力し、前記第１のコンピュータが前記記憶部を備えないことを検知した時、前記第１のコンピュータの前記記憶部中のデータの不使用の指定を伴う接続要求を前記第２の無線部へ出力することを特徴とするである。
【００１５】
請求項８に記載の発明は、複数の無線装置がデータの送受信を行うシステムにおいて、入力したデータを電波信号に変換して送信し、受信した電波信号をデータに変換して出力する無線部と、予め送信用データを格納する記憶部と、外部から受信した接続要求を前記無線部経由で入力した時、前記接続要求から前記記憶部中のデータの使用の可否を判定し、外部から受信したデータ送信要求を前記無線部経由で入力した時、前記判定結果が否である場合にのみ、送信用のデータを中央処理部に要求してこれを得て、当該送信用のデータを前記無線部へ出力する第１の無線信号処理部と、外部から受信した前記接続要求を前記無線部経由で入力した時、前記接続要求から前記記憶部中のデータの使用の可否を判定し、外部から受信した前記データ送信要求を前記無線部経由で入力した時、前記判定結果が可である場合にのみ、前記記憶部から前記データ送信要求に該当する送信用データを得て、当該送信用データを無線部へ出力する第２の無線信号処理部とを具備することを特徴とする無線通信装置である。
【００１６】
請求項９に記載の発明は、複数の無線装置がデータの送受信を行うシステムにおいて、入力したデータを電波信号に変換して送信し、受信した電波信号をデータに変換して出力する無線部と、予め送信用データを格納する記憶部と、外部から受信した要求を前記無線部経由で入力した時、前記要求を一時記憶領域へ書き込み、前記要求の出力要求を入力した時、前記一時記憶領域から前記要求を読み出して出力するデータキャッシング手段と、前記無線部が外部から受信した接続要求を入力した時、前記接続要求から前記記憶部中のデータの使用の可否を判定し、前記判定結果が否である場合にのみ、前記データキャッシング手段に前記接続要求の出力要求を出力し、前記無線部が外部から受信したデータ送信要求を入力した時、前記判定結果が可である場合は、前記記憶部から前記データ送信要求に該当するデータを得て前記無線部へ出力し、一方、前記判定結果が否である場合は、前記データキャッシング手段に前記データ送信要求の出力要求を出力する第１の無線信号処理部と、前記データキャッシング手段が出力した外部からの前記接続要求を入力した時、前記接続要求の送信元との接続処理を行い、前記データキャッシング手段から外部からのデータ送信要求を入力した時、前記データ送信要求に該当するデータを中央処理部に要求し、得られた前記データ送信要求に該当するデータを前記無線部へ出力する第２の無線信号処理部とを具備することを特徴とする無線通信装置である。
【００１７】
請求項１０に記載の発明は、複数の無線装置がデータの送受信を行うシステムにおいて、入力したデータを電波信号に変換して送信し、受信した電波信号をデータに変換して出力する第１の無線部と、予め送信用データを格納する記憶部と、データ送信要求を入力し、前記データ送信要求に該当する送信用のデータを中央処理部に要求して得て、当該送信用のデータを前記無線部へ出力する第１の無線信号処理部と、データ送信要求を入力し、前記データ送信要求に該当する送信用のデータを前記記憶部から得て前記無線部へ出力する第２の無線信号処理部と外部から受信した接続要求を前記無線部経由で入力し、前記接続要求から前記記憶部中のデータの使用の可否を判定し、外部から受信したデータ取得要求を前記無線部経由で入力した時、前記判定の結果が可である場合に前記データ取得要求を前記第２の無線信号処理部へ出力し、前記判定の結果が否である場合に前記データ取得要求を前記第１の無線信号処理部へ出力するスイッチ部とを具備することを特徴とする無線通信装置である。
【００１８】
請求項１１に記載の発明は、複数の無線装置がデータの送受信を行うシステムにおいて、入力したデータを電波信号に変換して送信し、受信した電波信号をデータに変換して出力する無線部と、外部からデータの取得要求を受けた時、データ取得先に対してキャッシュされたデータの使用の可否の指定を接続要求と共に前記無線部へ出力する接続要求手段と、前記データの取得要求に対応するデータ送信要求を前記無線部へ出力するデータ要求手段とを具備することを特徴とする無線通信装置である。
【発明の効果】
【００１９】
請求項１〜請求項３または請求項８〜請求項１０の発明によれば、記憶部にキャッシュされたデータが要求もとへ送信されるため、データが遠隔地にある場合であっても、高速なデータの送受信を可能にすることができる効果がある。また、従来のプロキシサーバを使用したデータのキャッシュ方法を適用する場合には第１のコンピュータのＣＰＵである中央処理部等に大きな負荷がかかることがあるが、この発明では記憶部にデータが存在し無い場合のみ外部からデータを得るため、この問題点も解決される。更に、本発明では第１のコンピュータはＣＰＵである中央処理部を介さずにデータを送信するため、この送信にかかる時間を一層短いものとすることができる効果もある。請求項１１の発明によれば、データ取得先がキャッシュ機能を備える場合に、このキャッシュ機能を利用して高速にデータを得ることができる効果がある。
【００２０】
請求項４と請求項５の発明によれば、電源消費を抑える効果がある。請求項６と請求工７の発明によれば、第１のコンピュータが記憶部にキャッシュしたデータを提供可能であることを確実に第２のコンピュータに報知できるため、記憶部のデータの有効活用を図ることができる効果がある。また、接続要求手段がサポート情報をチェックしない、即ち通常のコンピュータであっても、第２のコンピュータは第１のコンピュータにアクセスしてデータを取得することができる効果がある。
【発明を実施するための最良の形態】
【００２１】
以下、図面を参照し、この発明における第１の実施の形態〜第３の実施の形態について説明する。
【００２２】
＜第１の実施の形態＞
図１は本実施の形態における無線通信システムの構成を表している。本実施の形態においては、航空機内のコンピュータ１００が無線ＬＡＮによって乗客の所有するパソコン２００ａ〜パソコン２００ｃから接続の要求を受け、ネットワーク上のコンピュータ３００をアクセスして乗客の要求するデータを得る。
【００２３】
図２はコンピュータ１００の構成を表している。無線部１１０はアンテナ、アンプ、ベースバンドプロセッサ等を備える電波信号の送受信機能である。無線信号処理部１２２は無線ＬＡＮにおけるデータリンク層に該当する機能であってＭＡＣ（Ｍｅｄｉａ  Ａｃｃｅｓｓ  Ｃｏｎｔｒｏｌ）フレームに対する処理を行う。無線信号処理部１２２は更に、データの一時記憶領域である記憶部１２３を備える。この記憶部１２３はデータのキャッシュのために使用される。
【００２４】
また、無線信号処理部１２２は機内の電子機器に対して接続要求の有無を問い合わせるデータであるビーコンフレーム（標識信号）を生成する。このビーコンフレームは図８に示す形式のデータであり、ビーコンフレーム中のサポート情報が記憶部１２３を使用したキャッシュ機能の適用の要否を表す。無線信号処理部１２１も無線ＬＡＮにおけるデータリンク層に該当する機能であるが、無線信号処理部１２２が備えた記憶部１２３を持たない。中央処理部１３０はコンピュータ１００のＣＰＵであり、表示部１４０はコンピュータ１００の処理結果などを表示するモニタ装置であり、操作部１５０はコンピュータ１００のユーザからの処理要求などを受け付けるキーボードであり、記憶部１６０は中央処理部１３０がアプリケーションプログラムの実行などのために使用するメモリである。
【００２５】
パソコン２００ａ〜パソコン２００ｃは無線ＬＡＮによるインターネットへのアクセス機能を備えたパソコンである。図９はパソコン２００ａ〜パソコン２００ｃの構成を表している。中央処理部２３０はパソコン２００ａの制御機能であり、詳細は後述する。無線部２１０は電波信号の送受信機能であり、無線信号処理部２２０は中央処理部２３０と、無線部２１０との間で送受信するデータを通信プロトコルに従って変換し、記憶部２４０は中央処理部２３０がアプリケーションプログラムを実行する場合などに使用するメモリであり、表示部２６０は処理結果などを表示するモニタ装置であり、操作部２５０はユーザからの処理要求などを入力するキーボードである。
【００２６】
コンピュータ３００は、外部からの要求に応じてネットワーク経由でデータを送信するコンピュータである。
【００２７】
次に、図を参照して本実施形態における無線通信システムの処理の流れについて説明する。図３は本実施の形態におけるコンピュータ１００の処理の流れを示している。いま、コンピュータ１００の無線信号処理部１２２は、無線ＬＡＮによるインターネットのアクセスを行おうとしている乗客がいるか否かのチェックを開始しようとしている（図３のステップＳ０１）。
【００２８】
このために、無線信号処理部１２２はこの予め決められたチェックを継続する時間の長さを表す正の整数Ｔ＿ｂｒ＿ｌｉｍを記憶部１２３から読み出し、Ｔ＿ｂｒ＿ｌｉｍの間チェックを継続するためにタイマをスタートさせる（図３のステップＳ０２）。
【００２９】
次に、無線信号処理部１２２は図８に示すビーコンフレームを生成し、キャッシュ機能をサポートしていることを表す”無線システム２”を当該ビーコンフレームのサポート情報にセットして無線部１１０へ出力し、航空機内への発信と、当該ビーコンフレームに対する応答の信号の受信とを指示する。無線部１１０は無線信号処理部１２２からデータを入力し、入力したビーコンフレームを電波信号に変換して航空機内に発信する。そして、無線部１１０は航空機内の電子機器からの応答信号の受信を行うため、電波信号の受信を試みる。無線信号処理部１２２はＴ＿ｂｒ＿ｌｉｍの間、無線部１１０にこの処理を繰り返させる（図３のステップＳ０３）。
【００３０】
いま、パソコン２００ａを所有する乗客は無線ＬＡＮによりコンピュータ１００を介してインターネット上のコンピュータ３００が格納するコンテンツへのアクセスを行おうとしている。このため、ユーザは当該コンテンツの名称と、コンピュータ３００とを指定し、このコンテンツの取得をパソコン２００ａに指示する。パソコン２００ａの中央処理部２３０は乗客からの指示を操作部２５０経由で受け、ネットワークに接続するためにビーコンフレームを含む電波信号を無線信号処理部２２０経由で無線部２１０に受信させる。
【００３１】
次に、中央処理部２３０はコンピュータ１００が発信した電波信号を検出し、この電波信号に含まれる図８に示す形式のビーコンフレームのサポート情報を参照してコンピュータ１００の通信機能がキャッシュ機能を備えているか否かをチェックする。そして、中央処理部２３０はビーコンフレームのサポート情報に”無線システム２”が設定されていることを検知し、コンピュータ１００の通信機能がキャッシュ機能を備えていると判断する。
【００３２】
次に、中央処理部２３０はコンピュータ１００に接続するために接続要求データを生成し、更に、この接続要求データ中の予め決められたキャッシュ機能を使用するか否かを指定するフレームに“無線システム２”を設定し、この接続要求データを含む電波信号を無線信号処理部２２０経由で無線部２１０に出力して送信させる。コンピュータ１００の無線部１１０はパソコン２００ａが送信した電波信号を受信し（図３のステップＳ０３が“ＹＥＳ”）、受信した電波信号を変換して接続要求データを得て、無線信号処理部１２１と、無線信号処理部１２２とにこの接続要求データを出力する。
【００３３】
無線信号処理部１２１は無線部１１０からデータを入力し、受信した接続要求データ中のキャッシュ機能を使用するか否かを指定するフレームに“無線システム２”が設定されていることを確認する（図３のステップＳ０４が“ＹＥＳ”）。そして、無線信号処理部１２１は、今回はキャッシュ機能の使用が指定されているため自身がデータの送受信を実行する必要は無いと判断し、待機状態に入る。
【００３４】
無線信号処理部１２２は無線部１１０からデータを入力し、受信した接続要求データ中のキャッシュ機能を使用するか否かを指定するフレームに“無線システム２”が設定されていることを確認する（図３のステップＳ０４が“ＹＥＳ”）。そして、無線信号処理部１２２は、今回はキャッシュ機能の使用が指定されているため自身がデータの送受信を実行すべきであると判断し、パソコン２００ａに対して接続要求を受け付けた旨を表すＡＣＫ（ＡＣＫｎｏｗｌｅｄｇｅｍｅｎｔ）信号を生成し、この信号を無線部１１０に出力して送信させる。
【００３５】
パソコン２００ａの中央処理部２３０は、無線部２１０が受信したコンピュータ１００からのＡＣＫ信号を無線信号処理部２２０経由で入力し、コンピュータ１００との接続が完了したことを検知する。
【００３６】
そして、中央処理部２３０は、記憶部２４０中の図１０に示すコンテンツ管理テーブル中に乗客の指定したコンテンツ名称が含まれるかするか否かをチェックし、存在する場合にはこれに対応するコンテンツ識別情報を読み出し、当該コンテンツ識別情報と、先ほど乗客が指定したコンテンツ名称と、コンピュータ３００とを指定してコンテンツの送信要求を無線信号処理部２２０へ出力する。
【００３７】
無線信号処理部２２０は中央処理部２３０からデータを入力し、無線部２１０にコンテンツ識別情報と、コンテンツ名称と、コンピュータ３００とを指定してコンテンツの送信要求をコンピュータ１００へ送信させる。
【００３８】
また、中央処理部２３０は、記憶部２４０中の図１０に示すコンテンツ管理テーブル中に乗客の指定したコンテンツ名称が存在しない場合には“コンテンツ識別情報なし“と、先ほど乗客が指定したコンテンツ名称と、コンピュータ３００とを指定してコンテンツの送信要求を無線信号処理部２２０へ出力する。無線信号処理部２２０は中央処理部２３０からデータを入力し、入力したコンテンツ識別情報と、コンテンツ名称と、コンピュータ３００とを指定してコンテンツの送信要求を無線部２１０に出力し、電波信号としてコンピュータ１００へ送信させる。
【００３９】
コンピュータ１００の無線部１１０はパソコン２００ａが送信した電波信号を受信し（図３のステップＳ０５）、受信した電波信号を変換してデータを得て、無線信号処理部１２２にこのデータを出力する。無線信号処理部１２２は無線部１１０からデータを入力し、受信したデータ中にコンテンツ識別情報が含まれる場合には、当該コンテンツ識別情報に対応するデータを記憶部１２３から読み出し、無線部１１０経由でパソコン２００ａへ送信する。
【００４０】
このように無線信号処理部１２２が記憶部１２３からコンテンツのデータを読み出すため、コンピュータ１００がネットワークを経由してコンピュータ３００からデータを得る必要が無くなり、航空機内等のようにデータが遠隔地にある場合であっても、無線通信による高速なデータの送受信を可能としている。また、無線信号処理部１２２が記憶部１２３からコンテンツのデータを読み出すため、コンピュータ１００の中央処理部１３０が既存のプロキシサーバのようにデータをキャッシュする必要も無く、中央処理部１３０がアプリケーションプログラムの実行などの処理を行うことが出来る。
【００４１】
また、無線信号処理部１２２は、無線部１１０から入力したデータに“コンテンツ識別情報なし”が含まれる場合には、当該コンテンツをネットワーク経由で他のコンピュータから得る必要があると判断し、中央処理部１３０へ受信したデータを出力する。
【００４２】
中央処理部１３０は無線信号処理部１２２からデータを入力し、入力したデータからコンピュータ３００と、コンテンツ名称とを得て、ネットワークを経由してコンピュータ３００にアクセスしてコンテンツのデータを得る。そして、中央処理部１３０は得られたコンテンツのデータを無線信号処理部１２２へ出力する。無線信号処理部１２２は中央処理部１３０からデータを入力し、このデータを無線部１１０経由でパソコン２００ａへ送信する。
【００４３】
パソコン２００ａの中央処理部２３０は無線信号処理部２２０から無線部２１０が受信したデータを入力し、このコンテンツを再生して表示部２４０に出力し、表示させる。
【００４４】
また、図３のステップＳ０３においてコンピュータ１００が送信したビーコンフレームに対する応答が無い場合、即ち、機内にネットワークへの接続を希望する乗客がいない場合、無線部１１０は無線信号処理部１２２に“受信無し”を出力する（図３のステップＳ０３が“ＮＯ”）。
【００４５】
無線信号処理部１２２は無線部１１０から“受信無し”を入力し、タイマによってＴ＿ｂｒ＿ｌｉｍの時間の経過を検知するまで図３のステップＳ０３の処理を繰り返す（図３のステップＳ０６が“ＮＯ”）。
【００４６】
また、無線信号処理部１２２は無線部１１０から“受信無し”を入力し、タイマによるＴ＿ｂｒ＿ｌｉｍの時間の経過が検知された場合（図３のステップＳ０６が“ＹＥＳ”）、乗客からのネットワーク接続の要求が無いためしばらく時間を置いたほうが良いと判断し、また、この間はコンピュータ１００の消費電力を低減させるために無線部１１０への電力供給を停止し、予め決められた時間の長さを表す正の整数Ｔ＿ｓｌ＿ｌｉｍを記憶部１２３から読み出し、Ｔ＿ｓｌ＿ｌｉｍの経過を検知するためにタイマをスタートさせる（図３のステップＳ０７）。
【００４７】
そして、無線信号処理部１２２はＴ＿ｓｌ＿ｌｉｍの時間が経過するまでは待機し（図３のステップＳ０８が“ＮＯ”）、Ｔ＿ｓｌ＿ｌｉｍの時間が経過すると（図３のステップＳ０８が“ＹＥＳ”）、図３のステップＳ０１の処理を再度実行する。
【００４８】
また、無線信号処理部１２１が無線部１１０から接続要求データ中のキャッシュ機能を使用するか否かを指定するフレームに“無線システム２”が設定されていないことを検知した場合（図３のステップＳ０４が“ＮＯ”）、無線信号処理部１２１は、今回はキャッシュ機能の使用が指定されないため自身がデータの送受信を実行であると判断し、無線信号処理部１２２の処理と同様にデータの送受信を開始する。ただし、無線信号処理部１２１は記憶部１２３を持たないため、パソコン２００ａから要求されるデータを中央処理部１３０に要求して得る。
【００４９】
また、無線信号処理部１２２が接続要求データ中のキャッシュ機能を使用するか否かを指定するフレームに“無線システム２”が設定されていないことを検知した場合（図３のステップＳ０４が“ＮＯ”）、無線信号処理部１２２は、今回はキャッシュ機能の使用が指定されないため自身がデータの送受信を実行する必要は無いと判断し、待機する。
【００５０】
＜第２の実施の形態＞
第２の実施の形態のシステムの構成は図１のコンピュータ１００を除いて第１の実施の形態と同様である。図４はこのコンピュータ１００の構成を表している。コンピュータ１００のデータキャッシング回路１２４は一時記憶領域を備え、無線部１１０からデータを入力して当該データをこの一時記憶領域に書き込み、また、無線信号処理部１２２から指示を受けて一時記憶領域に格納したデータを読み出して無線信号処理部１２１へ出力する。
【００５１】
無線信号処理部１２１は無線信号処理部１２２のようにビーコンフレーム中のサポート情報を参照することもない。この他の点ではコンピュータ１００は第１の実施の形態のものと同様である。
【００５２】
次に、図を参照して本実施形態における無線通信システムの処理の流れについて説明する。図５は本実施の形態におけるコンピュータ１００の処理の流れを示している。この図５において、ステップＴ０１〜ステップＴ０３の処理は、第１の実施の形態における図３のステップＳ０１〜ステップＳ０３の処理と同様である。また、図５にけるステップＴ０９と、ステップＴ１１の処理は、第１の実施の形態における図３のステップＳ０６と、ステップＳ０８の処理と同様である。このため、以下では図５のステップＴ０４以降の処理について説明する。
【００５３】
コンピュータ１００の無線部１１０は、図５のステップＴ０３で受信したパソコン２００ａからの電波信号を変換して接続要求データを得て、データキャッシング回路１２４と、無線信号処理部１２２とにこの接続要求データを出力する。
【００５４】
データキャッシング回路１２４は無線部１１０からデータを入力し、入力した接続要求データを一時記憶領域に書き込み、待機する。このデータの書き込みの際に、データキャッシング回路１２４は、自身の一時記憶領域に既にデータが存在する場合、当該既存のデータを破棄する。
【００５５】
無線信号処理部１２２は無線部１１０からデータを入力し、受信した接続要求データ中のキャッシュ機能を使用するか否かを指定するフレームに“無線システム２”が設定されていることを確認する（図５のステップＴ０４が“ＹＥＳ”）。そして、無線信号処理部１２２は、今回はキャッシュ機能の使用が指定されているため自身がデータの送受信を実行すべきであると判断し、接続要求を受け付けた旨を表すＡＣＫ（ＡＣＫｎｏｗｌｅｄｇｅｍｅｎｔ）信号を生成し、この信号を無線部１１０に出力してパソコン２００ａに送信させる。以降の処理において、図５のステップＴ０５の処理と、図３のステップＳ０５の処理は同様である。
【００５６】
また、無線信号処理部１２２が無線部１１０から接続要求データ中のキャッシュ機能を使用するか否かを指定するフレームに“無線システム２”が設定されていないことを検知した場合（図５のステップＴ０４が“ＮＯ”）、無線信号処理部１２２は、今回はキャッシュ機能の使用が指定されないため自身がデータの送受信を実行する必要は無いと判断し、データキャッシング回路１２４に一時記憶したデータの無線信号処理部１２１への出力指示を出力し、待機する。
【００５７】
データキャッシング回路１２４は無線信号処理部１２２からの指示を入力し、一時記憶領域から先ほど書き込んだ接続要求データを読み出して無線信号処理部１２１へ出力する（図５のステップＴ０７）。
【００５８】
無線信号処理部１２１はデータキャッシング回路１２４からデータを入力し、無線信号処理部１２２の処理と同様にデータの送受信を開始する（図５のステップＴ０８）。ただし、図５のステップＴ０８の処理において、データキャッシング回路１２４は、接続要求データと同じように、コンテンツの送信要求に関しても一旦一時記憶領域に格納し、無線信号処理部１２２からの指示を入力して無線信号処理部１２１にこれを出力する。また、無線信号処理部１２１は記憶部１２３を持たないため、パソコン２００ａから要求されたデータを中央処理部１３０から得る。
【００５９】
また、無線信号処理部１２２は図５のステップＴ１０において、乗客からのネットワーク接続の要求が無いためしばらく時間を置いたほうが良いと判断し、また、この間はコンピュータ１００の消費電力を低減させるため、記憶部１２３から正の整数Ｔ＿ｓｌ＿ｌｉｍを読み出し、無線部１１０への電力供給を停止すると共に、無線信号処理部１２１への電力供給も停止し、タイマをスタートさせてＴ＿ｓｌ＿ｌｉｍの間待機する。
【００６０】
Ｔ＿ｓｌ＿ｌｉｍ経過後（図５のステップＴ１１が“ＹＥＳ”）、無線信号処理部１２２は無線部１１０と、無線信号処理部１２１への電力供給を再開し、図５のステップＴ０１の処理を行う。
【００６１】
＜第３の実施の形態＞
図１において、第３の実施の形態のシステムの構成はコンピュータ１００を除いて第１の実施の形態と同様である。図６はこのコンピュータ１００の構成を表している。コンピュータ１００のスイッチ１２５はビーコンフレーム中のサポート情報を参照し、キャッシュ機能の適用が必要な場合には無線信号処理部１２２に処理の開始を要求し、キャッシュ機能の適用が必要無い場合には無線信号処理部１２１に処理の開始を要求する。
【００６２】
また、無線信号処理部１２２と無線信号処理部１２１はビーコンフレーム中のサポート情報を参照することはない。この他についてはコンピュータ１００は第１の実施の形態のものと同様である。
【００６３】
次に、図を参照して本実施形態における無線通信システムの処理の流れについて説明する。図７は本実施の形態におけるコンピュータ１００の処理の流れを示している。この図７において、ステップＵ０１〜ステップＵ０３の処理は、第１の実施の形態における図３のステップＳ０１〜ステップＳ０３の処理と同様である。また、図７にけるステップＵ０９〜ステップＵ１１の処理は、第１の実施の形態における図３のステップＳ０６〜ステップＳ０８の処理と同様である。このため、以下では図７のステップＵ０４以降の処理について説明する。
【００６４】
コンピュータ１００の無線部１１０は、図７のステップＵ０３で受信したパソコン２００ａからの電波信号を変換して接続要求データを得て、スイッチ１２５にこの接続要求データを出力する。
【００６５】
スイッチ１２５は無線部１１０からデータを入力し、入力した接続要求データ中のキャッシュ機能を使用するか否かを指定するフレームに“無線システム２”が設定されていることを確認する（図７のステップＵ０４が“ＹＥＳ”）。そして、スイッチ１２５は入力した接続要求データを無線信号処理部１２２へ出力する（図７のステップＵ０５）。
【００６６】
無線信号処理部１２２はスイッチ１２５からデータを入力し、接続要求を受け付けた旨を表すＡＣＫ（ＡＣＫｎｏｗｌｅｄｇｅｍｅｎｔ）信号を生成し、この信号を無線部１１０に出力してパソコン２００ａに送信させる。図７のステップＵ０６の処理は図３のステップＳ０５の処理と同様である。
【００６７】
また、スイッチ１２５は、入力した接続要求データ中のキャッシュ機能を使用するか否かを指定するフレームに “無線システム２”が設定されていないことを検知した場合（図７のステップＵ０４が“ＮＯ”）、入力した接続要求データを無線信号処理部１２１へ出力する（図７のステップＵ０７）。
【００６８】
無線信号処理部１２１はスイッチ１２５からデータを入力し、図３のステップＳ０５における無線信号処理部１２２の処理と同様にデータの送受信を開始する。ただし、無線信号処理部１２１は記憶部１２３を持たないため、パソコン２００ａから要求されるデータを中央処理部１３０から得る。
【００６９】
以上、図面を参照して本発明の実施形態について詳述してきたが、具体的な構成はこれらの実施の形態に限られるものではなく、この発明の要旨を逸脱しない範囲の設計変更等も含まれる。例えば、本実施の形態を定期購読契約型のコンテンツの配信に利用しても良い。一般のインターネット上のコンテンツに関してデータのキャッシュを行う場合、ヒット率の変化やコンテンツの更新時期が不定であるといった問題からキャッシュの効果が出にくいこともあるが、視聴者の多い定期購読契約型のコンテンツであればヒット率の低下も抑止でき、また、更新のタイミングも確定しているものが多いことから、キャッシュの効果も大きい。
【００７０】
また、本実施の形態において記憶部１２３に格納するコンテンツのデータをコンピュータ１００の管理者が予めコンピュータ１００に指定し、ダウンロードさせておいても良い。予めコンピュータ１００にコンテンツを格納させることで、従来のプロキシサーバにあったような２回目以降のアクセスでないと通信速度が速くならない問題点を解決できる。
【００７１】
また、本実施の形態におけるパソコン２００ａはＰＤＡ（Ｐｅｒｓｏｎａｌ  Ｄｉｇｉｔａｌ  Ａｓｓｉｓｔａｎｔｓ）等であっても良い。また、本実施の形態におけるパソコン２００ａはＢｌｕｅｔｏｏｔｈ等に準拠した電子機器であっても良い。
【００７２】
また、本実施の形態においては無線ＬＡＮによる電波信号の送受信を想定しているが、無線ＬＡＮに限らず電波信号によるデータの送受信を行う電子機器であれば本実施の形態の適用は可能である。
【００７３】
また、本実施の形態においては航空機内における無線ＬＡＮを経由したデータの送受信に関して説明したが、航空機以外にも駅の構内や家庭内、企業内、官公庁内、公共施設内等に適用しても良い。
【図面の簡単な説明】
【００７４】
【図１】本発明の実施の形態におけるシステムの構成を表す図である。
【図２】本発明の実施の形態におけるコンピュータ１００のブロック図である。
【図３】本発明の実施の形態における処理の流れを示すフローチャートである。
【図４】本発明の実施の形態におけるコンピュータ１００のブロック図である。
【図５】本発明の実施の形態における処理の流れを示すフローチャートである。
【図６】本発明の実施の形態におけるコンピュータ１００のブロック図である。
【図７】本発明の実施の形態における処理の流れを示すフローチャートである。
【図８】本発明の実施の形態におけるデータを表す図である。
【図９】本発明の実施の形態におけるパソコン２００ａ〜パソコン２００ｃのブロック図である。
【図１０】本発明の実施の形態におけるデータを表す図である。
【符号の説明】
【００７５】
１００…コンピュータ（第１のコンピュータ）
１１０…無線部（第１の無線部）
１２１…無線信号処理部（第１の無線信号処理部）
１２２…無線信号処理部（第１の無線信号処理部）
１３０…中央処理部
１２３、１６０…記憶部
１２４…データキャッシング回路
１２５…スイッチ
１４０…表示部
１５０…操作部
２００ａ、２００ｂ、２００ｃ…パソコン（第２のコンピュータ）
２１０…無線部（第２の無線部）
２２０…無線信号処理部
２３０…中央処理部（接続要求手段、データ要求手段）
２４０…記憶部
２５０…操作部
２６０…表示部
Ｂ…バス
３００…コンピュータ
ＮＷ…ネットワーク
【図１】
2006058993.tif 000003
【図２】
2006058993.tif 000004
【図３】
2006058993.tif 000005
【図４】
2006058993.tif 000006
【図５】
2006058993.tif 000007
【図６】
2006058993.tif 000008
【図７】
2006058993.tif 000009
【図８】
2006058993.tif 000010
【図９】
2006058993.tif 000011
【図１０】
2006058993.tif 000012